(57)【要約】      （修正有）【課題】電源電圧低下による誤作動を起こすことなく、一定の防除効果を発揮する獣害抑止装置を提供する。【解決手段】獣害抑止装置１は、近接する鳥獣を検知するセンサ部１１と、鳥獣を光により威嚇する発光部１２と、鳥獣を音により威嚇する超音波発生部１３とを内部に備える箱状体１０であって、この箱状体の天面にソーラーパネル１４を設け、内部にソーラーパネルの起電力により充電される充電池を設け、該充電池を電源としてセンサ部と発光部と超音波発生部を作動させ、充電池から昇圧コンバータに電力を供給し、昇圧コンバータからセンサ部と発光部と超音波発生部に電力を供給する。【選択図】図１
0003234232.tif 000002
【実用新案登録請求の範囲】
【請求項１】
近接する鳥獣を検知するセンサ部と、鳥獣を光により威嚇する発光部と、鳥獣を音により威嚇する超音波発生部とを内部に備える箱状体の獣害抑止装置であって、
前記箱状体の天面にソーラーパネルを設け、内部にソーラーパネルの起電力により充電される充電池を設け、該充電池を電源として前記センサ部と前記発光部と前記超音波発生部の少なくとも一つ、または両方を作動させ、
さらに、前記充電池から昇圧コンバータに電力を供給し、昇圧コンバータから前記センサ部と前記発光部と前記超音波発生部に電力を供給することを特徴とする獣害抑止装置。
【請求項２】
前記発光部の光源は発光ダイオードからなることを特徴とする請求項１に記載の獣害抑止装置。
【考案の詳細な説明】
【技術分野】
【０００１】
本考案は、田畑等に設置して、野生の鳥獣が接近して農作物を荒らすことを抑止するための獣害抑止装置に関する。
【背景技術】
【０００２】
従来から、田畑等には、野生の鳥、猪、猿、鹿などの鳥獣による農作物の被害を防止するために、人間の形を模した案山子が設置されている。しかし、動きもせず威嚇音も発しない案山子では、防除効果もなく、害獣が容易に田畑等に侵入して農作物を荒らすことが農業者の頭を悩ましている。
【０００３】
獣害防除装置としては、種々の発明や考案が提案されている。
特許文献１に記載の獣害防除装置は、対象となる動物への外的作用として、フラッシング光を用い、視覚神経を通じて生体レベルでの生化学的干渉を行い、対象動物の機能障害を誘発させるものを提案している。
特許文献２に記載の獣害防除装置は、発光ダイオードを有する発光抗状物を用い、夜間に発光ダイオードを赤色点滅させることにより、野生動物に警戒心を呼び起こすようにしたものである。
特許文献３に記載の獣害防除装置は、電源装置と、表面が錐面状の反射面となされた反射器と、その反射面の頂点を通る垂線上に、反射面の頂点に向けて配置された発光ダイオードと、電源装置からの電力を発光ダイオードに供給し、発光ダイオードを点滅発光させるコントロール部とから構成し、発光ダイオードの点滅光を前記反射器の錐面状の反射面で反射させて外部に拡散放射させるものであった。そして、この発光ダイオードの点滅光を小動物に視認させて恐怖心を与え、その小動物の侵入を防止するものである。
特許文献４に記載の獣害防除装置は、携帯可能な大きさの基板上に配列された複数個のＬＥＤと、これらのＬＥＤを非同期状態で点滅させる点滅制御回路と、この点滅制御回路及びＬＥＤを駆動するバッテリとを備える。
また、特許文献５に記載の獣害防除装置は、光と音声等を併用して撃退するものを提案している。
【先行技術文献】
【特許文献】
【０００４】
【特許文献１】特開平１１−１９２０４７号公報
【特許文献２】特開平８−８９１５３号公報
【特許文献３】特開平１０−２１０９１９号公報
【特許文献４】特開平１１−９１７１号公報
【特許文献５】実開昭６３−５８５７８号公報
【考案の概要】
【考案が解決しようとする課題】
【０００５】
しかしながら、装置を設置する場所が田畑など屋外圃場であることが多く交流電源がない場合が多い。そのため装置の多くは充電池を内蔵し、その充電池は本体ソーラーパネルから電気が供給される構造を有する。威嚇対象物をセンサで検知し点滅光や電子音を発するものであるが、センサは動作電源電圧以下では誤作動が多いという問題があった。
【０００６】
本考案は、このような問題に鑑み、電源電圧低下による誤作動を起こすことなく、一定の防除効果を発揮する獣害抑止装置を提供することにある。
【課題を解決するための手段】
【０００７】
上記問題を解決するために、本考案に係る獣害抑止装置は、近接する鳥獣を検知するセンサ部と、鳥獣を光により威嚇する発光部と、鳥獣を音により威嚇する超音波発生部とを内部に備える箱状体であって、この箱状体の天面にソーラーパネルを設け、内部にソーラーパネルの起電力により充電される充電池を設け、該充電池を電源としてセンサ部と発光部と超音波発生部の少なくとも一つ、または両方を作動させることを特徴とする。さらに、センサ誤動作防止のため、昇圧コンバータを付加し、昇圧コンバータからセンサ部と発光部と超音波発生部に電力を供給するように構成すれば、誤作動を抑制できる。
【０００８】
なお、発光部の光源は発光ダイオードからなるようにするとよい。
【考案の効果】
【０００９】
本考案に係る獣害抑止装置によれば、発光部の光と内部の超音波発生部とにより、学習機能を持つ鳥獣に対して威嚇効果を高めることができ、電源はソーラーパネルにより電源コードが不要になり、電池交換の頻度も少なくなる。また、直流昇圧コンバータを採用することにより誤作動を抑制する効果がある。
【図面の簡単な説明】
【００１０】
【図１】実施例１に係る獣害抑止装置１の正面図である。
【図２】実施例１に係る獣害抑止装置１の正面向かって左上から見た斜視図である。
【図３】実施例１に係る獣害抑止装置１の背面向かって右上から見た斜視図である。
【図４】実施例１に係る獣害抑止装置１に係る筒状体１０の左側面透視図である。
【図５】実施例１に係る獣害抑止装置１の背面向かって右上から見た、背面板を外した状態の斜視図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。
【実施例１】
【００１２】
実施例１を図面を参照して詳細に説明する。図１は、実施例１に係る獣害抑止装置１の正面図である。
【００１３】
図１に示すとおり、獣害抑止装置１は、概して、近接する鳥獣を検知するセンサ部１１と、鳥獣を光により威嚇する発光部１２と、鳥獣を音により威嚇する超音波発生部１３とを内部に備える箱状体１０であって、この箱状体１０の天面にソーラーパネル１４を設け、内部にソーラーパネル１４の起電力により充電される充電池１５を設け、該充電池１５を電源としてセンサ部１１と発光部１２と超音波発生部１３の少なくとも一つ、または両方を作動させることを特徴とする。また、箱状体１０は底部に箱状体支持体１８を備える。なお、箱状体支持体１８の底面には孔（図示していない）があり、この孔に支持杭Ｋを嵌め込み、支持杭Ｋを圃場の所望の場所に差して使用することができる。
【００１４】
図２は、実施例１に係る獣害抑止装置１の正面向かって左上から見た斜視図である。図３は、実施例１に係る獣害抑止装置１の背面向かって右上から見た斜視図である。図２及び３は、獣害抑止装置１を立体的に示す図であるが、装置そのものの説明は、図１と重複するので説明は省略する。
なお、実施例１において獣害抑止装置１の箱状体１０は、四角柱の形状であるが限定されず、円筒の形状であってもよい。
【００１５】
図４を参照する。図４は、実施例１に係る獣害抑止装置１における筒状体１０の左側面透視図である。図４において、箱状体１０の壁面のみハッチングを施している。
【００１６】
図１や図２と同様、獣害抑止装置１は、近接する鳥獣を検知するセンサ部１１と、鳥獣を光により威嚇する発光部１２と、鳥獣を音により威嚇する超音波発生部１３とを内部に備える箱状体１０であることが理解できるであろう。この箱状体１０の天面にソーラーパネル１４を設け、内部にソーラーパネル１４の起電力により充電される充電池１５を設け、該充電池１５を電源としてセンサ部１１と発光部１２と超音波発生部１３の少なくとも一つ、または両方を作動させる。なお、センサ部１１と発光部１２の奥には回路基板１７を備え、回路基板１７は昇圧コンバータ１６を構成要素として備えている。充電池１５から昇圧コンバータ１６に電力を供給し、昇圧コンバータ１６からセンサ部１１と発光部１２と超音波発生部１３に電力を供給するように構成されている。この昇圧コンバータ１６の存在により、誤作動を抑制できる。
【００１７】
図５を参照する。図５は、実施例１に係る獣害抑止装置１の背面向かって右上から見た、背面板を外した状態の斜視図である。箱状体１０の背面に設けられた背面板を外すと、充電池１５を備える電池収容部があり、充電池１５を電源として昇圧コンバータ１６を介して、センサ部１１と発光部１２と超音波発生部１３を作動させる。
【００１８】
以上、本考案に係る昇圧コンバータを付加することで検知センサの誤動作防止における好ましい実施形態を図示して説明してきたが、本考案の技術的範囲を逸脱することなく種々の変更が可能であることは理解されるであろう。
【産業上の利用可能性】
【００１９】
本考案に係る獣害抑止装置によれば、昇圧コンバータを付加することで誤作動少なく、鳥獣に対して威嚇効果を高めることができるので、圃場や園芸施設等の他、鳥獣が出没する住宅街等でも広く利用することができる。
【符号の説明】
【００２０】
１  獣害抑止装置
１０  箱状体
１１  センサ部
１２  発光部
１３  超音波発生部
１４  ソーラーパネル
１５  充電池
１６  昇圧コンバータ
１７  回路基板
１８  筒状体支持体
Ｋ  支持杭
【図１】
0003234232.tif 000003
【図２】
0003234232.tif 000004
【図３】
0003234232.tif 000005
【図４】
0003234232.tif 000006
【図５】
0003234232.tif 000007